(57)【要約】【課題】  シート本体が後方へ回転した場合にのみ幼児用ベッドの使用を可能として幼児の身体保護の確実を図る。【解決手段】  シート本体内に収納される収納位置とシート本体１内から取り出された展開位置との間で移動可能に設けられ、展開位置ではシート本体１の前方側に幼児用ベッドを形成するベビーシートと、シート本体をベビーシートと一体に前向き位置と後向き位置との間で回転可能に支持する回転装置４と、シート本体が前向き位置にあるときベビーシ−トを収納位置から移動するのを規制し、シート本体が後向き位置にあるとき上記移動規制を解除する移動規制解除機構３と、ベビーシートが展開位置にあるときに上記回転装置が回転するのを規制するとともに、ベビーシートが収納位置にあるときに上記回転規制を解除するリクライニング規制機構６とを備える。【選択図】        図３
2005271683.tif 000002
【特許請求の範囲】
【請求項１】
シート本体と、該シート本体内に収納される収納位置と前記シート本体内から取り出された展開位置との間で移動可能に設けられ、前記展開位置では前記シート本体とともに又は単独で前記シート本体の前方側に幼児用シート又はベッドを形成する幼児用シート形成部又は幼児用ベッド形成部と、前記シート本体を前記幼児用シート形成部又は幼児用ベッド形成部と一体に前向き位置と後向き位置との間で回転可能に支持する回転装置と、前記シート本体が前向き位置にあるとき前記幼児用シート形成部又は幼児用ベッド形成部を前記収納位置から移動するのを規制し、前記シート本体が後向き位置にあるとき前記移動規制を解除する第１規制手段と、前記幼児用シート形成部又は幼児用ベッド形成部が展開位置にあるときに前記回転装置が回転するのを規制するとともに、前記幼児用シート形成部又は幼児用ベッド形成部が収納位置にあるときに前記回転規制を解除する第２規制手段とを備える車両用シート。
【請求項２】
前記車両用シートは前記シート本体のシートバックをリクライニングにより前傾させたときに前記回転規制が解除されるように設定されており、前記第２規制手段は、前記幼児用シート形成部又は幼児用ベッド形成部が展開位置にあるときに前記リクライニングを規制するとともに、前記幼児用シート形成部又は幼児用ベッド形成部が収納位置にあるときに前記リクライニング規制を解除するものである請求項１に記載の車両用シート。
【発明の詳細な説明】
【技術分野】
【０００１】
本発明は車両用シートに関し、特に、シート本体の前方側に幼児用シート形成部又は幼児用ベッド形成部を備える車両用シートに関する。
【背景技術】
【０００２】
車両用シートにおいて、シート本体のシートバックを後方へ適当角度傾斜させ、この状態で、シートバック前面中央部の幼児用ベッド形成部に組み込んだベビーシートを前方へ引き出して、幼児用ベッドを形成するようにしたものがある。また、シートバック中央部に幼児用シート形成部を設けてこれに別体の幼児用シートをシート前方から取り付けるようにしたものがある。なお、特許文献１には、シートバックを前倒しするとシート本体の回転ロックが解除されるようにした車両用シートが示されている。
【特許文献１】特開２００２−３４７４８８
【発明の開示】
【発明が解決しようとする課題】
【０００３】
ところで、幼児用ベッドないし幼児用シートを使用する場合には、シート本体を後方へ回転させて幼児が車両後方へ向くようにすることがその身体保護の観点から好ましい。
【０００４】
そこで、本発明はこのような要請に鑑みたもので、回転式の車両用シートにおいて、シート本体が後方へ回転した場合にのみ幼児用シート又はベッドの使用を可能としてその身体保護の確実を図った車両用シートを提供することを目的とする。
【課題を解決するための手段】
【０００５】
上記目的を達成するために本第１発明は、シート本体（１）と、該シート本体（１）内に収納される収納位置とシート本体（１）内から取り出された展開位置との間で移動可能に設けられ、展開位置ではシート本体（１）とともに又は単独でシート本体（１）の前方側に幼児用シート又はベッドを形成する幼児用シート形成部又は幼児用ベッド形成部（１４）と、シート本体（１）を幼児用シート形成部又は幼児用ベッド形成部（１４）と一体に前向き位置と後向き位置との間で回転可能に支持する回転装置（４）と、シート本体（１）が前向き位置にあるとき幼児用シート形成部又は幼児用ベッド形成部（１４）を収納位置から移動するのを規制し、シート本体（１）が後向き位置にあるとき上記移動規制を解除する第１規制手段（２１，３）と、幼児用シート形成部又は幼児用ベッド形成部（１４）が展開位置にあるときに上記回転装置（４）が回転するのを規制するとともに、幼児用シート形成部又は幼児用ベッド形成部（１４）が収納位置にあるときに上記回転規制を解除する第２規制手段（５１，６）とを備えている。
【０００６】
本第１発明においては、第１規制手段により、シート本体が後向き位置にあるときだけ移動規制が解除されて、幼児用シート形成部又は幼児用ベッド形成部が収納位置から展開位置へ移動できる。幼児用シート形成部又は幼児用ベッド形成部が展開位置へ移動すると第２規制手段によって回転装置による回転が規制されて、シート本体は後向き位置に維持される。このようにして、シート本体が後向き位置へ回転している場合にのみ幼児用ベッド等を使用できるから、幼児の身体保護の確実を図ることができる。
【０００７】
本第２発明では、上記車両用シートはシート本体（１）のシートバック（１１）をリクライニングにより前傾させたときに上記回転規制が解除されるように設定されており、上記第２規制手段（５１，６）は、幼児用シート形成部又は幼児用ベッド形成部（１４）が展開位置にあるときに上記リクライニングを規制するとともに、幼児用シート形成部又は幼児用ベッド形成部（１４）が収納位置にあるときに上記リクライニング規制を解除する。
【０００８】
なお、上記カッコ内の符号は、後述する実施形態に記載の具体的手段との対応関係を示すものである。
【発明の効果】
【０００９】
本発明の車両用シートにおいては、シート本体が後向き位置へ回転した場合にのみ幼児用シート又はベッドの使用を可能としたから、幼児の身体保護の確実を図ることができる。
【発明を実施するための最良の形態】
【００１０】
図１には幼児用ベッド形成部としてのベビーシート１４を備えた回転式車両用シートの外観を示し、シート本体１を後方へ回転させて後向き位置とした状態を示すものである。シートバック１１の前面中央部には幼児用ベッドとなる略矩形の凹所１３が形成されており、上記ベビーシート１４は当該凹所１３内に収納された状態から、使用時には図示するように手前側の前方へ引き出され展開される。ベビーシート１４はその下端（引き出した状態では後端）が回転自在にシート本体１に軸着されており、展開させる場合にはベビーシート１４の上端を掴んで図示のように前方へ傾倒回動させる。
【００１１】
凹所１３内に収納された状態では、図２に示すように、ベビーシート１４の上端には板状フック部材２１が係合している。すなわち、フック部材２１は略Ｌ字形をなし、その中間部がシート本体１側のフレーム１５上端に設けたステー１５１に回転自在に結合されている。そして、前端のフック部２１１がベビーシート１４のフレーム１４１の上端に形成された係合穴１４２内に進入してこれと係合している。フック部材２１の後端近くにはバネ部材２２が結合されて、前端フック部２１１を係合穴１４２内に進入させる方向へフック部材２１を回転付勢している。フック部材２１の後端には以下に説明する移動規制解除機構へ至るワイヤ２３の一端が係止されている。なお、上記フック部材２１と移動規制解除機構は第１規制手段を構成している。
【００１２】
移動規制解除機構３は図３、図４に示すように、回転装置４の可動部材４１側に設けらた回転シャフト３２と、可動部材４１を支持する固定部材４２側に設けられたレバー形操作部材３４および板状伝達部材３５とを備えている。なお、上記可動部材４１上にはシート本体１（図１）が載置され、固定部材４２は車両フロア上に設置されている。回転シャフト３２の一端にはワイヤ係止片３２１が設けられて、ここに、上記フック部材２１から至ったワイヤ２３の一端が係止されている。回転シャフト３２には板状当接部材３６が設けられており、シート本体１が後向き位置にある状態では当接部材３６の直下に伝達部材３５が位置している。伝達部材３５は長方形をなし、固定部材４２側に設けた保持部材３７により直立姿勢に挟持されて上下方向へ移動可能となっている。
【００１３】
操作部材３４の基端は固定部材４２に設けた回転シャフト３４１に固定されており（図３）、回転シャフト３４１には途中に従動片３８が突設されて、その先端が伝達部材３５の水平に屈曲した下端３５１（図４）に当接している。操作部材３４を図３の矢印で示すように回転シャフト３４１を中心に時計回転方向の上方へ回動操作すると、従動片３８が同方向へ回動して図４の矢印で示すように伝達部材３５を押し上げる。押し上げられた伝達部材３５は当接部材３６に当たってこれを押し上げ、回転シャフト３２を図４の矢印で示す反時計回転方向へ回動させる。回転シャフト３２と一体にワイヤ係止片３２１が回転することにより、ワイヤ２３が引かれ、フック部材２１が図２の反時計回転方向へ回動させられて、先端フック部２１１が係合穴１４２内から脱出する。これにより、ベビーシート１４を収納状態から前方へ引き出して展開させることが可能となる。
【００１４】
可動部材４１が後方へ回転してシート本体１が後ろ向き位置にある図５（Ａ）の状態から、可動部材４１を前方へ回転させてシート本体１を図５（Ｂ）に示す前向き位置にすると、可動部材４１と一体に回転する回転シャフト３２の当接部材３６は伝達部材３５の直上位置から外れる。したがって、この状態で操作部材３４を回動操作して伝達部材３５を押し上げても、押し上げられた伝達部材３５が当接部材３６に当たることはない。このため、フック部材２１（図２）は係合穴１４２に係合したままとなり、ベビーシート１４を収納状態から展開させることはできない。
【００１５】
本実施例ではさらにベビーシート１４とシートリクライニングとの間でインターロックが取られている。これを図６の側面図と図７の斜視図で説明する。ベビーシート１４（図７）の下端はこれに突設した軸体１４３（図７）によってシート本体１内に設けたブラケット１６に回転可能に支持されており、軸体１４３には第２規制手段を構成する板状の操作部材５１が嵌着されて、その先端に結合されたワイヤ５２が第２規制手段を構成するリクライニング規制機構６へ延びている。リクライニングレバー７はシート本体１の側面に沿って前方（図６の右方）へ湾曲しつつ延び、軸支されたその基端７１を中心に上方へ引き上げ回動されると、公知の構造によってシートバック１１の後方ないし前方への傾倒が可能となる。レバー７の上辺中間位置にはこれと直交するように、リクライニング規制機構６を構成する係合ピン６１が固定されている。なお、本実施形態では、リクライニングレバー７を操作してバネ力によってシートバック１１（より正確にはバックフレーム１１１）をシートクッション１２（より正確にはクッションフレーム１２１）に向けて前方へ傾倒させると、公知の構造により、回転装置４の可動部材４１の回転が可能となる。
【００１６】
リクライニングレバー７に沿ったその内方位置にはリクライニング規制機構６を構成する規制部材６２が位置させてある。規制部材６２は板体を屈曲成形したもので、その基端はシート本体１のクッションフレーム１２１（図６）に軸体６２１によって回転可能に結合されている。規制部材６２の基端上縁にはワイヤ係止部６２２が形成されて上記操作部材５１から至ったワイヤ５２が係止されている。また、規制部材６２の中間板面にはバネ部材６３が結合されて、規制部材６２を図６、図７に示す傾倒状態へ回転付勢している。規制部材６２の先端はリクライニングレバー７の方向へ直角に屈曲させられてストッパ壁６２３となっている。ベビーシート１４がシートバック１１の凹所１３（図１）内に収納された状態（図７の状態）では規制部材６は傾倒しており、リクライニングレバー７を引き上げ操作してシートバック１１を前方へ傾倒させることができる。これにより、シート本体１を後向き位置から前向き位置へ回転させることができる。
【００１７】
シート本体１が後向き位置にある状態で、前述した操作部材３４（図３）を操作してベビーシート１４を展開位置へ引き出すと、ベビーシート１４と一体に回転する操作部材５１によってワイヤ５２が引かれて図８に示すように規制部材６が起立させられ、そのストッパ壁６２３がリクライニングレバー７の係合ピン６１の直上位置に至る。これにより、リクライニングレバー７を大きく引き上げ操作しようとしても係合ピン６１がストッパ壁６２３に当接して規制されるから、シートバック１１の前方への傾倒と、これに続くシート本体１の前向き位置への回転が規制される。これは、ベビーシート１４使用時に保護者がリクライニングレバー７を誤操作してしまうことの防止にもなっている。
【００１８】
このように本実施形態の車両用シートにおいては、シート本体１が後向き位置にある場合にのみベビーシート１４を展開位置へ移動させて使用することができるとともに、ベビーシート１４を展開位置へ移動させて使用している場合には、シートバック１１の前傾が規制されて、後向き位置からのシート本体１の回転が規制される。このようにして、シート本体１が後向き位置へ回転した場合にのみ幼児用ベッドを使用することができるから、幼児の身体保護の確実を図ることができる。なお、上記実施形態において、ベビーシート１４を展開位置へ移動させた場合に、シートバック１１の前傾規制とは無関係に、シート本体１の回転を直接規制するようにしても良い。また、上記実施形態では幼児用ベッドを形成する場合を例に説明したが、幼児用シートを形成する場合にも同様に本発明を適用することができる。なお、幼児用シートとして使用する場合には、シートバックはリクライニング機構によって所定の角度でロックされるようになっている。
【図面の簡単な説明】
【００１９】
【図１】本発明の一実施形態を示す、シート本体を後向きにしてベビーシートを展開した状態の車両用シートの斜視図である。
【図２】ベビーシートの上端部の垂直断面図である。
【図３】移動規制解除機構の側面図である。
【図４】図３のIV−IV線に沿った断面図である。
【図５】第１規制手段を設けた回転装置の概略側面図である。
【図６】第２規制手段を設けたシート本体要部の概略側面図である。
【図７】第２規制手段の斜視図である。
【図８】第２規制手段を設けたシート本体要部の概略側面図である。
【符号の説明】
【００２０】
１…シート本体、１１…シートバック、１４…ベビーシート、２１…フック部材（第１規制手段）、３…移動規制解除機構（第１規制手段）、４…回転装置、５１…操作部材（第２規制手段）、６…リクライニング規制機構（第２規制手段）。
【図１】
2005271683.tif 000003
【図２】
2005271683.tif 000004
【図３】
2005271683.tif 000005
【図４】
2005271683.tif 000006
【図５】
2005271683.tif 000007
【図６】
2005271683.tif 000008
【図７】
2005271683.tif 000009
【図８】
2005271683.tif 000010